(57)【要約】      （修正有）【課題】授乳の準備から後片付けに至る間に、授乳用椅子に座った状態でベビーベッドを最適な位置に配置することができるベビーベッド付授乳用椅子を提供する。【解決手段】ベビーベッド付授乳用椅子は、授乳室等に設置される授乳用椅子であって、授乳用椅子１にはベビーベッド２が付設され、ベビーベッド２の脚部２ｃにはキャスターが設けられるとともに、授乳用椅子１とベビーベッド２との間に連結アーム４が連結され、授乳用椅子１の周囲をアーム４によりベビーベッド２を回動させる。【選択図】図１
0003201286.tif 000002
【実用新案登録請求の範囲】
【請求項１】
授乳室等に設置される授乳用椅子であって、
前記授乳用椅子にはベビーベッドが付設され、
前記ベビーベッドの脚部にはキャスターが設けられるとともに、前記授乳用椅子と前記ベビーベッドとの間に連結アームが連結され、
前記授乳用椅子の周囲を前記アームにより前記ベビーベッドを回動させるベビーベッド付授乳用椅子。
【請求項２】
連結アームは、授乳用椅子の横と前にベビーベッドが近距離で配置される長さに設定して連結された請求項１に記載のベビーベッド付授乳用椅子。
【考案の詳細な説明】
【技術分野】
【０００１】  本考案は、授乳室等に設置される授乳用椅子に関し、詳しくは、授乳用椅子にベビーベッドが付設されたベビーベッド付授乳用椅子に関する。
【背景技術】
【０００２】  公共施設や店舗等には、乳幼児に授乳するための授乳室が設置されている。授乳室には授乳用の椅子が設けられ、母親等が椅子に座った状態で乳幼児に授乳している。また、授乳の準備や後片付けのとき、或いは、おむつを交換するときに、乳幼児を寝かせるためのベビーベッドが併設されていることがある。【０００３】  授乳時に、乳幼児を抱いて楽な姿勢で授乳できるようにした授乳用の椅子は、実用新案第３１５８５８８号公報（特許文献１）、実用新案第３１９０６３０号公報（特許文献２）に開示されている。また、授乳室が設置されているベビーベッドは、一般に市販されているベッドが使用されている。
【先行技術文献】
【特許文献】
【０００４】
【特許文献１】実用新案第３１５８５８８号公報
【特許文献２】実用新案第３１９０６３０号公報
【考案の概要】
【考案が解決しようとする課題】
【０００５】  通常の場合、授乳時には椅子に座り乳幼児を抱いた状態で授乳するが、授乳の準備を行うときや、後片付けを行う際には、乳幼児をベビーベッドに寝かせておかなければならない。一般的に、ベビーベッドは椅子の側方に離間して配置されていることが多く、このため、乳幼児を寝かせるために移動しなければならず、この移動中に転倒する危険が伴う。また、ベビーベッドに寝かせた乳幼児から目を離すことになり、乳幼児の不意な動きに対応できない危険性もあるが、授乳室にはこのような危険性については考慮されていない。【０００６】  本考案が解決しようとする課題は、授乳の準備から後片付けに至る間に、授乳用椅子に座った状態でベビーベッドを最適な位置に配置することができるベビーベッド付授乳用椅子を提供することにある。
【課題を解決するための手段】
【０００７】  そこで、本考案によるベビーベッド付授乳用椅子は、授乳室等に設置される授乳用椅子であって、前記授乳用椅子にはベビーベッドが付設され、前記ベビーベッドの脚部にはキャスターが設けられるとともに、前記授乳用椅子と前記ベビーベッドとの間に連結アームが連結され、前記授乳用椅子の周囲を前記アームにより前記ベビーベッドを回動させることを要旨としている。【０００８】  また、連結アームは、授乳用椅子の横と前にベビーベッドが近距離で配置される長さに設定して連結することが望ましい。
【考案の効果】
【０００９】  本考案によるベビーベッド付授乳用椅子は、授乳用椅子とベビーベッドとの間に連結アームを連結しているので、ベビーベッドを授乳用椅子の周囲に回動させることができる。このため、ベビーベッドを授乳用椅子の側方或いは手前の任意の近距離位置に移動して配置することができることから、授乳するとき、授乳の準備から後片付けに至る間に、授乳用椅子に座った状態であっても、ベビーベッドを最適な位置に配置することができる。このように、ベビーベッドを授乳用椅子の手前に配置できるので、授乳用椅子に座った状態で乳幼児に対して各種の作業を行うことが可能となる。このとき、乳幼児を確認することができるので、乳幼児の不意な動きに対応することが可能となる。また、ベビーベッドの脚部にはキャスターが設けられているので、授乳用椅子の周囲に容易に任意の位置まで回動することができる。さらに、授乳用椅子とベビーベッドが連結アームによって連結されているので、ベビーベッドが移動中に転倒の兆候が発生しても、連結アームによって支持することから、転倒事故を未然に防止することが可能となる。【００１０】  また、連結アームの長さを、授乳用椅子の横と手前にベビーベッドが近距離で配置される長さに設定することにより、授乳用椅子に座った状態であっても、手の届く位置でベビーベッドを近距離で移動する一方、いずれの位置においても乳幼児に対する各種の作業が実行可能となる。
【図面の簡単な説明】
【００１１】
【図１】  本発明に関わるベビーベッド付授乳用椅子の実施例を示す平面図である。
【図２】  図１に示すベビーベッド付授乳用椅子の正面図である。
【図３】  連結アームの変形例を示す平面図である。
【図４】  ベビーベッド付授乳用椅子の第２の実施例を示す平面図である。
【考案を実施するための形態】
【００１２】  本考案によるベビーベッド付授乳用椅子は、授乳室等に設置される授乳用椅子であって、前記授乳用椅子にはベビーベッドが付設され、前記ベビーベッドの脚部にはキャスターが設けられるとともに、前記授乳用椅子と前記ベビーベッドとの間に連結アームが連結され、前記授乳用椅子の周囲を前記アームにより前記ベビーベッドを回動させるように構成している。
【００１３】  以下、図面に基づいて本考案の実施例を詳細に説明する。図１、図２に示す授乳用椅子１は、座席部１ａと、この座席部１ａを支持する脚部１ｂと、座席部１ａの後方端から立設された背もたれ１ｃと、肘掛け１ｄとを有している。なお、座席部１ａの中央には、産後の痛みの影響をなくすための略長方形の凹所１ｅが形成されている。
【００１４】  一方、ベビーベッド２は、周囲に鍔部２ａが形成されたベッド部２ｂには、このベッド部２ｂを支持する４本の脚部２ｃが各角部から下方に設けられている。さらに、４本の脚部２ｃの下端には、ベビーベッド２を任意の方向に移動するためのキャスター３が設けられている。なお、ベビーベッド２の鍔部２ａの高さは、授乳用椅子１の肘掛け１ｄの高さと同じか、やや低い高さに設定してくことが望ましい。このように高さをほぼ同じにすることにより、後述する乳幼児７をベビーベッド２に移動したときにスムースに移動することができる。
【００１５】  上述した授乳用椅子１とベビーベッド２との間には、連結アーム４が連結されていて、これによって、授乳用椅子１にベビーベッド２が付設される。連結アーム４は、帯状の金属板、または、合成樹脂板によって形成されている。図１、図２に示すように、授乳用椅子１の肘掛け１ｄ前方には、支持部５が設けられ、連結アーム４の一端を回動自在に支持している。また、ベビーベッド２のベッド部２ｂの下面にも支持部６が設けられ、連結アーム４の他端を回動自在に支持している。この連結アーム４の長さは、図示のように、授乳用椅子１の横と手前にベビーベッド２が近距離で配置される長さに設定されている。
【００１６】  次に、本考案によるベビーベッド付授乳用椅子の動作について説明する。図１に示すように、ベビーベッド付授乳用椅子を使用しない状態では、ベビーベッド２が授乳用椅子１の側方に近接して配置されている。この状態では、授乳用椅子１の前方が空いていることから、母親等の授乳者７が前方から容易に座ることができる。このとき、乳幼児８に授乳するための準備を行う場合には、授乳用椅子１の側方に近接して配置されているベビーベッド２のベッド部２ｂに乳幼児８を寝かせておくことが可能である。その後、準備が完了した後に、図２に示すように、授乳者７が授乳用椅子１に座った状態で乳幼児８を抱きながら授乳を行う。
【００１７】  授乳者５が授乳中、或いは、授乳終了後に乳幼児８に対して、おむつ交換或いは着替え等の作業を行う場合には、授乳用椅子１の手前にベビーベッド２を移動させる。このとき、連結アーム４が授乳用椅子１の支持部５のとベビーベッド２の支持部６に回動自在に支持されていて、しかも、ベビーベッド２の脚部２ｃの下端にキャスター３が設けられているので、ベビーベッド２は、授乳用椅子１の支持部５を起点として自在に移動し、図１において二点鎖線で示すように、授乳用椅子１の手前に移動させることができる。このように、ベビーベッド２を授乳用椅子１の手前に配置することにより、授乳者７は授乳用椅子１に座った状態で、しかも、乳幼児８を目の前で直視することができ、そのうえで、各種の作業を行うことが可能となる。
【００１８】  ベビーベッド２を移動するとき、何らかの障害物によってベビーベッド２が転倒する可能性があっても、連結アーム４が授乳用椅子１の横と手前にベビーベッド２が近距離で配置される長さに設定されているので、ベビーベッド２の転倒が未然に阻止される。このとき、授乳用椅子１に授乳者７が座ることにより、授乳用椅子１全体の重量が大きくなっているので、ベビーベッド２の転倒の可能性を著しく低減することができる。
【００１９】  図３は、連結アームの変形例を示し、連結アーム４が２枚の帯状板４ａ、４ｂによって形成され、屈曲点４ｃを介して帯状板４ａ、４ｂが回動自在に連結するように構成している。この構成によって、連結アーム４が２つ折りになるので、ベビーベッド２の移動に対して自由度を向上させることが可能となる。
【００２０】  図４は、本考案によるベビーベッド付授乳用椅子の第２の実施例を示している。上述した図１に示す実施例と相違する点は、授乳用椅子１とベビーベッド２との間を連結する構成を異ならせたことである。すなわち、授乳用椅子１の肘掛け１ｄの下面には、ガイドレール９が設けられ、このガイドレール９には連結アーム１０の一端側が移動自在かつ離脱不能に嵌合されている。連結アーム１０の他端側は、ベビーベッド２のベッド部２ｂの下面に固定されている。連結アーム１０は、ガイドレール９にガイドされるようにしていることから、前述した実施例の連結アーム４よりも短くしている。
【００２１】  図４に示す他の実施例において、ベビーベッド付授乳用椅子を使用しない状態では、ベビーベッド２が授乳用椅子１の側方に近接して配置されている。そして、ベビーベッド２を授乳用椅子１の手前に移動させるときは、ベビーベッド２を授乳用椅子１の側方に沿って前方に移動させると、連結アーム１０はガイドレール９にガイドされて移動する。ベビーベッド２の脚部２ｃの下端にはキャスター３が設けられているので、ベビーベッド２は自在に移動させることができる。ベビーベッド２に移動によって連結アーム１０がガイドレール９の前端側に近づくと、ベビーベッド２が回動可能になり、図４に示す二点鎖線のように、授乳用椅子１の手前に移動させることができる。これにより、授乳者７が乳幼児８を目の前で直視することができ、そのうえで、各種の作業を行うことが可能となることも、前述した４実施例と同様である。
【００２２】  以上、本発明を実施例に基づき具体的に説明したが、本発明は上記実施例に限定されるものではなく、その要旨を逸脱しない範囲で種々変形可能であることは言うまでもない。前述した実施例において、授乳用椅子およびベビーベッドは各種の形状や構造に変更しても良い。また、授乳用椅子とガイドレールを連結する連結アームは、フレキシブルワイヤに変更しても良い
【符号の説明】
【００２３】１    授乳用椅子
１ｄ  肘掛け
２    ベビーベッド
２ｂ  ベッド部
２ｃ  脚部
３    キャスター
４    連結アーム
５    支持部
６    支持部
【図１】
0003201286.tif 000003
【図２】
0003201286.tif 000004
【図３】
0003201286.tif 000005
【図４】
0003201286.tif 000006